(57)【要約】      （修正有）【課題】ネジ部の締め過ぎ等でネジ同士が咬んでしまい取外しが困難な状態が生じないカメラ用フィルター枠の着脱機構を提供する。【解決手段】フィルターを挟持したフィルター枠１のレンズ側に位置する外枠外径部には雄ネジ５が螺設されており、該雄ネジはカメラレンズ鏡筒１０の先端部内径側に螺設された雌ネジ８に螺合してフィルター枠をカメラレンズ鏡筒先端部に装着可能な第一の着脱機構６を有しており、また、前記フィルター枠の入射光側に位置する先端部の内径部には雌ネジが螺設されており、該雌ネジには他のフィルター枠を重ねて装着する場合やフードやレンズキャップ等のアタッチメントを装着可能な第二の着脱機構９が設けられており、前記第一の着脱機構を構成する雄ネジのネジ山部分と第二の着脱機構を構成する雌ネジのネジ山部分に低摩擦特性に優れた滑性の良い塗料材を塗着した。【選択図】図１
0003173179.tif 000002
【実用新案登録請求の範囲】
【請求項１】
フィルターを挟持したフィルター枠のレンズ側に位置する外枠外径部には雄ネジが螺設されており、該雄ネジはカメラレンズ鏡筒の先端部内径側に螺設された雌ネジに螺合してフィルター枠をカメラレンズ鏡筒先端部に装着可能な第一の着脱機構を有しており、また、前記フィルター枠の入射光側に位置する先端部の内径部には雌ネジが螺設されており、該雌ネジには他のフィルター枠を重ねて装着する場合やフードやレンズキャップ等のアタッチメントを装着可能な第二の着脱機構が設けられており、前記第一の着脱機構を構成する雄ネジのネジ山部分と第二の着脱機構を構成する雌ネジのネジ山部分の何れか一方に低摩擦特性に優れた滑性の良い塗料材を塗着したことを特徴とするカメラ用フィルター枠の着脱機構。
【請求項２】
フィルターを挟持したフィルター枠のレンズ側に位置する外枠外径部には雄ネジが螺設されており、該雄ネジはカメラレンズ鏡筒の先端部内径側に螺設された雌ネジに螺合してフィルター枠をカメラレンズ鏡筒先端部に装着可能な第一の着脱機構を有しており、また、前記フィルター枠の入射光側に位置する先端部の内径部には雌ネジが螺設されており、該雌ネジには他のフィルター枠を重ねて装着する場合やフードやレンズキャップ等のアタッチメントを装着可能な第二の着脱機構が設けられており、前記第一の着脱機構を構成する雄ネジのネジ山部分と第二の着脱機構を構成する雌ネジのネジ山部分の双方に低摩擦特性に優れた滑性の良い塗料材を塗着したことを特徴とするカメラ用フィルター枠の着脱機構。
【請求項３】
フィルターを挟持したフィルター枠のレンズ側に位置する外枠外径部には雄ネジが螺設されており、該雄ネジはカメラレンズ鏡筒の先端部内径側に螺設された雌ネジに螺合してフィルター枠をカメラレンズ鏡筒先端部に装着可能な第一の着脱機構を有しており、また、前記フィルター枠の入射光側に位置する先端部の内径部には雌ネジが螺設されており、該雌ネジには他のフィルター枠を重ねて装着する場合やフードやレンズキャップ等のアタッチメントを装着可能な第二の着脱機構が設けられており、前記第一の着脱機構を構成する雄ネジの完全ネジ部分と第二の着脱機構を構成する雌ネジの完全ネジ部分の何れか一方を低摩擦特性に優れた滑性の良い成形材にて形成したことを特徴とするカメラ用フィルター枠の着脱機構。
【請求項４】
フィルターを挟持したフィルター枠のレンズ側に位置する外枠外径部には雄ネジが螺設されており、該雄ネジはカメラレンズ鏡筒の先端部内径側に螺設された雌ネジに螺合してフィルター枠をカメラレンズ鏡筒先端部に装着可能な第一の着脱機構を有しており、また、前記フィルター枠の入射光側に位置する先端部の内径部には雌ネジが螺設されており、該雌ネジには他のフィルター枠を重ねて装着する場合やフードやレンズキャップ等のアタッチメントを装着可能な第二の着脱機構が設けられており、前記第一の着脱機構を構成する雄ネジの完全ネジ部分と第二の着脱機構を構成する雌ネジの完全ネジ部分の双方を低摩擦特性に優れた滑性の良い成形材にて形成したことを特徴とするカメラ用フィルター枠の着脱機構。
【請求項５】
前記フィルター枠のレンズ側に位置する第一の着脱機構の雄ネジと該フィルター枠の入射光側に位置する第二の着脱機構の雌ネジにおいて、ネジ山部分に塗布される低摩擦特性に優れた滑性の良い塗料材はフッ素樹脂塗料であることを特徴とする請求項１または請求項２の何れかに記載されたカメラ用フィルター枠の着脱装置。
【請求項６】
前記低摩擦特性に優れた滑性の良い塗料材が着色顔料を混入したフッ素樹脂塗料であることを特徴とする請求項１または請求項２の何れかに記載されたカメラ用フィルター枠の着脱機構。
【請求項７】
前記フィルター枠のレンズ側に位置する第一の着脱機構の雄ネジと該フィルター枠の入射光側に位置する第二の着脱機構の雌ネジにおいて、雄ネジと雌ネジの完全ネジ部分を成形するネジ部材には低摩擦特性に優れた滑性の良い成形材としてフッ素樹脂を用いることを特徴とする請求項３または請求項４のいずれかに記載されたカメラ用フィルター枠の着脱装置。
【考案の詳細な説明】
【技術分野】
【０００１】
本考案は、カメラ用フィルター枠の着脱機構に関するものである。
【背景技術】
【０００２】
本考案は、カメラのレンズ鏡筒前面に取付けて、光を吸収したり、透過させたり、或いは、光に変化を与える等、光を目的に応じて制御して、カメラの撮像素子に光を送り込むためのカメラ用丸型フィルター枠の着脱機構に関するものである。
【０００３】
カメラ用フィルターには、レンズ表面の保護用フィルターや紫外線吸収フィルター、色温度変換フィルター、色補正フィルター等の単体枠フィルターや、偏光フィルターやクロススクリーンフィルターのような２重枠構造の回転枠フィルターがある。
【０００４】
而して、前記単体枠フィルターや、回転枠フィルターをカメラのアタッチメントとしてカメラのレンズ鏡筒の先端部に装着するために、レンズ鏡筒の先端部内径側には雌ネジが螺設されており、該雌ネジ部に装着されるフィルターの外枠外径部には雄ネジが螺設されていて、フィルターを前記レンズ鏡筒の雌ネジ部にフィルター枠の雄ネジ部を螺合してフィルターをカメラに装着している。
【０００５】
従って、カメラレンズ鏡筒の先端部に装着されたフィルターを取外すには、フィルター枠を逆回転操作して、レンズ鏡筒の雌ネジ部からフィルター枠の雄ネジ部を取外しており、フィルター枠のカメラレンズ鏡筒側（以下、レンズ側と称する）に螺設された雄ネジ部は、カメラ用フィルター枠の着脱部を構成している。
【０００６】
また、カメラレンズ側の先端部に前記カメラ用フィルター枠を装着している時、該フィルター枠の外部側（以下、入射光側と称する）には多種の効果を有するフィルターを重ねて装着する場合や、フードやレンズキャップ等のアタッチメントを装着する場合がある。
【０００７】
このような場合に、フィルター枠の入射光側において、その先端部の内径部には雌ネジが螺設されており、該雌ネジ部が他のフィルターを重ねて装着する場合や、フードやレンズキャップ等のアタッチメントを装着する際にはフィルター枠の装着機構となるので、カメラ用フィルター枠には、前記カメラレンズ側に螺設された雄ネジ部と、フィルター枠の入射光側に螺設された雌ネジ部とからなるカメラ用フィルター枠の着脱機構が設けられている。
【０００８】
斯くして、従来のカメラレンズ側に螺設された雄ネジ部と、フィルター枠の入射光側に螺設された雌ネジ部からなるカメラ用フィルター枠の着脱機構には、次のような欠点があった。即ち、カメラレンズ鏡筒の先端部に螺設された雌ネジにフィルター枠の雄ネジを螺着するための初めの嵌合操作は、意外と手間取るもので、独特の勘と操作慣れが必要であり、その原因として、雌ネジと雄ネジの螺合部分が金属同士で滑性が悪く、また、ネジ部のピッチが細かいために、やさしくソフトにフィルター枠を何回も回転操作して所定位置に装着する面倒な操作が必要である。
【０００９】
また、前記初めの操作は、雌ネジと雄ネジの螺合操作を誤るとカメラレンズの先端部に螺設された雌ネジとフィルター枠に螺設された雄ネジが不正に噛み合ってしまい、互いのネジ山が破損したり、圧着されてしまい取外しに苦労する不都合な着脱機構であった。
【００１０】
そして、上記カメラレンズ側のフィルター枠着脱機構の欠点は、フィルター枠の入射光側に螺設された雌ネジと該雌ネジ部に重ねて装着される他のフィルター枠間においても同様に発生する欠点でもあり、更にまた、フィルター枠の装着操作性が悪いことは、最近のフィルター枠が、所謂ケラレ現象を発生させないためにより薄く製作されるようになってきており、フィルター枠の着脱時に、人が挟持する外周枠部がより小さくなってきていることにもその要因がある。
【００１１】
而して、本考案の出願人は、上述した雌ネジと雄ネジの螺合による不都合な着脱機構を改良して、ボールベアリングからなる係合部を有するワンタッチタイプのアタッチメント着脱機構（以下、特許文献１と称する）や、リング型スプリングからなる係合部を有するワンタッチタイプのアタッチメント着脱機構（以下、特許文献２と称する）を提供した。
【００１２】
そして、上記特許文献１の発明や、特許文献２の発明は、瞬時にワンタッチで、例えばフィルター枠をカメラレンズの先端部に装着したり、取外したりする操作性に優れていて、その利用価値は多大なものがある。
【００１３】
然しながら、特許文献１や、特許文献２の発明は、ボールベアリングやリング型スプリングからなる係合部を組み込むスペースが大きくなってしまい、薄型のフィルター枠の製作は難しい。
【００１４】
また、ワンタッチで容易に着脱できることは、大きな利点でもあるが、使用中に外れ易いという欠点をも備えている。
【先行技術文献】
【特許文献】
【００１５】
【特許文献１】特許第３６９９６９８号  特許公報
【特許文献２】特許第３９３９６２１号  特許公報
【考案の概要】
【考案が解決しようとする課題】
【００１６】
本考案が解決しようとする課題は、フィルター枠の着脱機構がフィルター枠のレンズ側、並びに入射光側に設けられていても、薄型のフィルター枠が製作可能なフィルター枠を製作可能であり、且つ、フィルター枠の着脱機構が初めから確実に正しく装着操作可能で、使用中には外れ難い雄ネジ、並びに雌ネジの着脱機構を持つカメラ用フィルター着脱機構を提供するものであり、特に本考案のカメラ用フィルター着脱機構は、螺着による嵌め込み状態を解除する場合においても、ネジ部が円滑に回動操作可能で、所謂、ネジ部の締め過ぎ等でネジ同士が咬んでしまい取外しが困難な状態が生じないカメラ用フィルター枠の着脱機構を提供するものである。
【課題を解決するための手段】
【００１７】
本考案は、フィルターを挟持したフィルター枠のレンズ側に位置する外枠外径部には雄ネジが螺設されており、該雄ネジはカメラレンズ鏡筒の先端部内径側に螺設された雌ネジに螺合してフィルター枠をカメラレンズ鏡筒先端部に装着可能な第一の着脱機構を有しており、また、前記フィルター枠の入射光側に位置する先端部の内径部には雌ネジが螺設されており、該雌ネジには他のフィルター枠を重ねて装着する場合やフードやレンズキャップ等のアタッチメントを装着可能な第二の着脱機構が設けられており、前記第一の着脱機構を構成する雄ネジのネジ山部分と第二の着脱機構を構成する雌ネジのネジ山部分の何れか一方に低摩擦特性に優れた滑性の良い塗料材を塗着したカメラ用フィルター枠の着脱機構を提供するものである。
【００１８】
また、本考案は、フィルターを挟持したフィルター枠のレンズ側に位置する外枠外径部には雄ネジが螺設されており、該雄ネジはカメラレンズ鏡筒の先端部内径側に螺設された雌ネジに螺合してフィルター枠をカメラレンズ鏡筒先端部に装着可能な第一の着脱機構を有しており、また、前記フィルター枠の入射光側に位置する先端部の内径部には雌ネジが螺設されており、該雌ネジには他のフィルター枠を重ねて装着する場合やフードやレンズキャップ等のアタッチメントを装着可能な第二の着脱機構が設けられており、前記第一の着脱機構を構成する雄ネジのネジ山部分と第二の着脱機構を構成する雌ネジのネジ山部分に低摩擦特性に優れた滑性の良い塗料材を塗着したカメラ用フィルター枠の着脱機構を提供するものである。
【００１９】
更に、本考案は、フィルターを挟持したフィルター枠のレンズ側に位置する外枠外径部には雄ネジが螺設されており、該雄ネジはカメラレンズ鏡筒の先端部内径側に螺設された雌ネジに螺合してフィルター枠をカメラレンズ鏡筒先端部に装着可能な第一の着脱機構を有しており、また、前記フィルター枠の入射光側に位置する先端部の内径部には雌ネジが螺設されており、該雌ネジには他のフィルター枠を重ねて装着する場合やフードやレンズキャップ等のアタッチメントを装着可能な第二の着脱機構が設けられており、前記第一の着脱機構を構成する雄ネジの完全ネジ部分と第二の着脱機構を構成する雌ネジの完全ネジ部分の何れか一方を低摩擦特性に優れた滑性の良い成形材にて形成したカメラ用フィルター枠の着脱機構を提供するものである。
【００２０】
更にまた、本考案は、フィルターを挟持したフィルター枠のレンズ側に位置する外枠外径部には雄ネジが螺設されており、該雄ネジはカメラレンズ鏡筒の先端部内径側に螺設された雌ネジに螺合してフィルター枠をカメラレンズ鏡筒先端部に装着可能な第一の着脱機構を有しており、また、前記フィルター枠の入射光側に位置する先端部の内径部には雌ネジが螺設されており、該雌ネジには他のフィルター枠を重ねて装着する場合やフードやレンズキャップ等のアタッチメントを装着可能な第二の着脱機構が設けられており、前記第一の着脱機構を構成する雄ネジの完全ネジ部分と第二の着脱機構を構成する雌ネジの完全ネジ部分を低摩擦特性に優れた滑性の良い成形材にて形成したカメラ用フィルター枠の着脱機構を提供するものである。
【００２１】
斯くして、本考案は、フィルター枠のレンズ側に位置する第一の着脱機構の雄ネジと該フィルター枠の入射光側に位置する第二の着脱機構の雌ネジにおいて、ネジ山部分に塗布される低摩擦特性に優れた滑性の良い塗料材として、フッ素樹脂塗料を用いることにより、フィルター枠の着脱機構が初めから確実に正しく装着でき、螺着による嵌め込み状態を解除する場合においても、ネジ部が円滑に回動操作可能で、所謂、ネジ部の締め過ぎ等でネジ同士が咬んでしまい取外しが困難な状態が生じないカメラ用フィルター枠の着脱機構を提供するものである。
【００２２】
また、本考案は、前記フィルター枠のレンズ側に位置する第一の着脱機構の雄ネジと該フィルター枠の入射光側に位置する第二の着脱機構の雌ネジにおいて、雄ネジと雌ネジの完全ネジ部分を成形するネジ部材には低摩擦特性に優れた滑性の良い成形材としてフッ素樹脂を用いることにより、フィルター枠の着脱機構が初めから確実に正しく装着でき、螺着による嵌め込み状態を解除する場合においても、ネジ部が円滑に回動操作可能で、所謂、ネジ部の締め過ぎ等でネジ同士が咬んでしまい取外しが困難な状態が生じないカメラ用フィルター枠の着脱機構を提供するものである。
【考案の効果】
【００２３】
而して、本考案は、ネジピッチの小さい雄ネジ、又は雌ネジからなるカメラ用フィルターの着脱機構を採用することにより、より薄型でケラレ現象を防止できるフィルター枠が製作可能となり、且つ、フィルター枠の着脱機構が初めから確実に正しく装着操作可能で、使用中には外れ難い雄ネジ、並びに雌ネジの着脱機構を持つカメラ用フィルター着脱機構を提供することができるものであり、特に本考案のカメラ用フィルター着脱機構は、螺着による嵌め込み状態を解除する場合においても、ネジ部が円滑に回動操作可能で、所謂、ネジ部の締め過ぎ等でネジ同士が咬んでしまい取外しが困難な状態にならないカメラ用フィルター枠の着脱機構を提供可能にした。
【図面の簡単な説明】
【００２４】
【図１】（Ａ）本考案の実施例１を説明する要部断面図である。           （Ｂ）図１（Ａ）のフィルター枠部拡大断面図である。
【図２】（Ａ）本考案の実施例２を説明する要部断面図である。           （Ｂ）図２（Ａ）のフィルター枠部拡大断面図である。
【図３】（Ａ）（Ｂ）本考案の実施例３を説明する要部拡大断面図である。
【考案を実施するための形態】
【００２５】
本考案は、フィルター枠の着脱機構がフィルター枠のレンズ側、並びに入射光側に設けられていても、薄型のフィルター枠が製作可能なフィルター枠を製作可能であり、且つ、フィルター枠の着脱機構が初めから確実に正しく装着操作可能で、使用中には外れ難い雄ネジ、並びに雌ネジの着脱機構を持つカメラ用フィルター着脱機構を提供するものであり、特に本考案のカメラ用フィルター着脱機構は、螺着による嵌め込み状態を解除する場合においても、ネジ部が円滑に回動操作可能で、所謂、ネジ部の締め過ぎ等でネジ同士が咬んでしまい取外しが困難な状態にならないカメラ用フィルター枠の着脱機構を提供するものである。
【００２６】
本考案の構成は、フィルターを挟持したフィルター枠のレンズ側（カメラのレンズ側）に位置する外枠外径部には雄ネジが螺設されていて、該雄ネジはカメラレンズ鏡筒の先端部内径側に螺設された雌ネジに螺合してフィルター枠をカメラレンズ鏡筒先端部に装着可能な第一の着脱機構を有している。
【００２７】
また、前記フィルター枠の入射光側（フィルター枠の外部側）に位置する先端部の内径部には雌ネジが螺設されていて、該雌ネジには他のフィルター枠を重ねて装着する場合やフードやレンズキャップ等のアタッチメントを装着可能な第二の着脱機構が設けられている。
【００２８】
そして、前記第一の着脱機構を構成する雄ネジのネジ山部分と第二の着脱機構を構成する雌ネジのネジ山部分に低摩擦特性に優れた滑性の良い塗料材、即ち、フッ素樹脂を塗着したものであり、低摩擦特性に優れた滑性の良いフッ素樹脂塗料は、０.０１〜０.１ｍｍ程度の塗膜厚を有して、１８０℃、３０分の焼付塗装とすることより、ネジ部が円滑に回動操作可能となり、所謂、ネジ部の締め過ぎ等でネジ同士が咬んでしまい取外しが困難な状態にならないカメラ用フィルター枠の着脱機構を提供できる。
【００２９】
また、本考案におけるフィルター枠の第一の着脱機構と第二の着脱機構は、第一の着脱機構が雄ネジによる構成、第二の着脱機構が雌ネジによる構成となっており、前記夫々のネジ山部分への焼付塗装の塗装範囲は、ネジ山部分と逃げ溝部分、そして必要に応じてネジ部のアタリ面までとすることが好ましい。
【００３０】
更に、本考案におけるフィルター枠の第一の着脱機構と第二の着脱機構は、第一の着脱機構がカメラレンズ前面にフィルター枠を螺着するものであり、また、第二の着脱機構は、フィルター枠の入射光側に設けられて、他の働きをするフィルター枠を重ねて取付けたり、フードやレンズキャップ等のアタッチメントを螺着するものであり、当然のことながら、本考案の実施例においては、第一の着脱機構と第二の着脱機構の両方を兼ね備えたフィルター枠、第一の着脱機構のみを備えたフィルター枠、そして、第二の着脱機構のみを備えたフィルター枠をも実施の形態となる。
【００３１】
而して、本考案の他の実施形態として、フィルターを挟持したフィルター枠のレンズ側に位置する外枠外形部には雄ネジが螺設されており、該雄ネジはカメラレンズ鏡筒の先端部内径側に螺設された雌ネジに螺合してフィルター枠をカメラレンズ鏡筒先端部に装着可能な第一の着脱機構を有している。
【００３２】
また、前記フィルター枠の入射光側に位置する先端部の内径部には雌ネジが螺設されていて、該雌ネジには他のフィルター枠を重ねて装着する場合やフードやレンズキャップ等のアタッチメントを装着可能な第二の着脱機構が設けられている。
【００３３】
そして、前記第一の着脱機構を構成する雄ネジの完全ネジ部分と第二の着脱機構を構成する雌ネジの完全ネジ部分を低摩擦特性に優れた滑性の良い成形材、例えばフッ素樹脂テフロン（デュポン社の商標）にて成形したものであり、低摩擦特性に優れた滑性の良いフッ素樹脂テフロンは、雄ネジ、又は雌ネジからなるネジ部が円滑に回動操作可能となり、所謂、ネジ部の締め過ぎ等でネジ同士が咬んでしまい取外しが困難な状態にならないカメラ用フィルター枠の着脱機構を提供できる。
【００３４】
斯くして、上述した本考案の実施例は、フィルター枠の形状として、レンズ表面の保護用フィルターや紫外線吸収フィルター、色温度変換フィルター、色補正フィルター等の単体枠フィルターに実施した例を説明している。
【００３５】
また、本考案の他の実施形態として、色補正フィルター等の単体枠フィルターや、偏光フィルターやクロススクリーンフィルターのような２重枠構造の回転枠フィルターにも実施できることはいうまでもない。
【実施例１】
【００３６】
図１（Ａ）は本考案の実施例１を説明する要部断面図であり、図１（Ｂ）は図１（Ａ）のフィルター枠拡大断面図である。図１（Ａ）（Ｂ）において、１はフィルター枠、２はフィルター外枠、３はフィルターレンズ、４はフィルターの外枠外径部、５は雄ネジ、６は雄ネジからなる第一の着脱機構、７はフィルター枠先端部内径部、８は雌ネジ、９は雌ネジからなる第二の着脱機構、１０はカメラレンズ鏡筒、１１はフィルター枠の雄ネジが螺着する雌ネジ、１２はカメラレンズ側、１３は入射光側、１４は第一の着脱機構雄ネジ部に塗布されるフッ素樹脂塗装範囲（図１（Ｂ）に示す）、１５は第二の着脱機構雌ネジ部に塗布されるフッ素樹脂範囲（図１（Ｂ）に示す）を示している。
【００３７】
実施例１は、フィルター枠の着脱機構がフィルター枠のレンズ側１２、並びに入射光側１３に設けられていても、薄型のフィルター枠が製作可能なフィルター枠１を製作可能であり、且つ、フィルター枠１の着脱機構が初めから確実に正しく装着操作可能で、使用中には外れ難い雄ネジ５、並びに雌ネジ８の着脱機構を持つカメラ用フィルター着脱機構を提供するものであり、特に実施例１のカメラ用フィルター着脱機構は、螺着による嵌め込み状態を解除する場合においても、ネジ部が円滑に回動操作可能で、所謂、ネジ部の締め過ぎ等でネジ同士が咬んでしまい取外しが困難な状態にならないカメラ用フィルター枠１の着脱機構を提供するものである。
【００３８】
実施例１の構成は、フィルターレンズ３を挟持したフィルター枠１のカメラレンズ側１２に位置する外枠外径部４には雄ネジ５が螺設されていて、該雄ネジ５はカメラレンズ鏡筒１０の先端部内径側に螺設された雌ネジ１１に螺合してフィルター枠１をカメラレンズ鏡筒１０先端部に装着可能な第一の着脱機構６を有している。
【００３９】
また、前記フィルター枠１の入射光側１３に位置する先端部の内径部７には雌ネジ８が螺設されていて、該雌ネジ８には他のフィルター枠を重ねて装着する場合やフードやレンズキャップ等（図示せず）のアタッチメントを装着可能な第二の着脱機構９が設けられている。
【００４０】
斯くして、実施例１の構成は、フィルターを挟持したフィルター枠１のレンズ側１２に位置する外枠外径部４には雄ネジ５が螺設されており、該雄ネジ５はカメラレンズ鏡筒１０の先端部内径側に螺設された雌ネジ１１に螺合してフィルター枠１をカメラレンズ鏡筒先端部に装着可能な第一の着脱機構６を有しており、また、前記フィルター枠の入射光側１３に位置する先端部の内径部７には雌ネジ８が螺設されており、該雌ネジ８には他のフィルター枠を重ねて装着する場合やフードやレンズキャップ等のアタッチメントを装着可能な第二の着脱機構９が設けられており、前記第一の着脱機構６を構成する雄ネジ５のネジ山部分と第二の着脱機構９を構成する雌ネジ８のネジ山部分の何れか一方に低摩擦特性に優れた滑性の良い塗料材を塗着したものである。
【００４１】
また、実施例１の他の構成は、フィルターを挟持したフィルター枠１のレンズ側１２に位置する外枠外径部４には雄ネジ５が螺設されており、該雄ネジ５はカメラレンズ鏡筒の先端部内径側に螺設された雌ネジに螺合してフィルター枠をカメラレンズ鏡筒先端部に装着可能な第一の着脱機構６を有しており、また、前記フィルター枠の入射光側１３に位置する先端部の内径部７には雌ネジ８が螺設されており、該雌ネジ８には他のフィルター枠を重ねて装着する場合やフードやレンズキャップ等のアタッチメントを装着可能な第二の着脱機構９が設けられており、前記第一の着脱機構６を構成する雄ネジ５のネジ山部分と第二の着脱機構９を構成する雌ネジ８のネジ山部分に低摩擦特性に優れた滑性の良い塗料材を塗着したものである。
【００４２】
そして、前記第一の着脱機構６を構成する雄ネジ５のネジ山部分と第二の着脱機構９を構成する雌ネジ８のネジ山部分に低摩擦特性に優れた滑性の良い塗料材、即ち、フッ素樹脂を塗着したものであり、低摩擦特性に優れた滑性の良いフッ素樹脂塗料は、０.０１〜０.１ｍｍ程度の塗膜厚を有して、１８０℃、３０分の焼付塗装とすることより、ネジ部が円滑に回動操作可能となり、所謂、ネジ部の締め過ぎ等でネジ同士が咬んでしまい取外しが困難な状態にならないカメラ用フィルター枠１の着脱機構を提供できる。
【００４３】
また、本考案におけるフィルター枠１の第一の着脱機構６と第二の着脱機構９は、第一の着脱機構６が雄ネジ５による構成、第二の着脱機構９が雌ネジ８による構成となっており、前記夫々のネジ山部分への焼付塗装の塗装範囲は、図１（Ｂ）の第一の着脱機構雄ネジ部に塗布されるフッ素樹脂塗装範囲１４、第二の着脱機構雌ネジ部に塗布されるフッ素樹脂塗装範囲１５になることが最良であり、また、ネジ山部分と逃げ溝部分、そして必要に応じてネジ部のアタリ面までとすることが好ましい。
【００４４】
更に、本考案におけるフィルター枠１の第一の着脱機構６と第二の着脱機構９は、第一の着脱機構６がカメラレンズ鏡筒１０の前面にフィルター枠１を螺着するものであり、また、第二の着脱機構９は、フィルター枠の入射光側１３に設けられて、他の働きをするフィルター枠を重ねて取付けたり、フードやレンズキャップ等のアタッチメントを螺着するものであり、当然のことならら、本考案の実施例においては、第一の着脱機構６と第二の着脱機構９の両方を兼ね備えたフィルター枠１、第一の着脱機構６のみを備えたフィルター枠１、そして、第二の着脱機構９のみを備えたフィルター枠１をも実施例１の形態となる。
【実施例２】
【００４５】
実施例２は、色補正フィルター等の単体枠フィルターや、偏光フィルターやクロススクリーンフィルターのような２重枠構造の回転枠フィルターに本考案を実施した例を示している。
【００４６】
図２（Ａ）は本考案の実施例２を説明する要部断面図であり、図２（Ｂ）は、図２（Ａ）のフィルター枠拡大断面図である。図２（Ａ）（Ｂ）において、１６はフィルター回転枠、２はフィルター外枠、３はフィルターレンズ、４はフィルターの外枠外径部であり、前記フィルター外枠２とフィルターの外枠外径部４はＯリング１７を介して互いに回転可能に取付けられている。
【００４７】
また、５は雄ネジ、６は雄ネジからなる第一の着脱機構、７はフィルター枠先端部内径部、８は雌ネジ、９は雌ネジからなる第二の着脱機構、１０はカメラレンズ鏡筒、１１はフィルター枠の雄ネジが螺着する雌ネジ、１２はカメラレンズ側、１３は入射光側、１４は第一の着脱機構雄ネジ部に塗布されるフッ素樹脂塗装範囲（図２（Ｂ）に示す）、１５は第二の着脱機構雌ネジ部に塗布されるフッ素樹脂範囲（図２（Ｂ）に示す）を示している。
【００４８】
実施例２は、フィルター枠１の着脱機構が初めから確実に正しく装着操作可能で、使用中には外れ難い雄ネジ５、並びに雌ネジ８の着脱機構を持つカメラ用フィルター着脱機構を提供するものであり、特に実施例１のカメラ用フィルター着脱機構は、螺着による嵌め込み状態を解除する場合においても、ネジ部が円滑に回動操作可能で、所謂、ネジ部の締め過ぎ等でネジ同士が咬んでしまい取外しが困難な状態にならないカメラ用フィルター枠１の着脱機構を提供するものである。
【００４９】
実施例２の構成は、フィルターレンズ３を挟持したフィルター枠１のカメラレンズ側１２に位置する外枠外径部４には雄ネジ５が螺設されていて、該雄ネジ５はカメラレンズ鏡筒１０の先端部内径側に螺設された雌ネジ１１に螺合してフィルター枠１をカメラレンズ鏡筒１０先端部に装着可能な第一の着脱機構６を有している。
【００５０】
また、前記フィルター枠１の入射光側１３に位置する先端部の内径部７には雌ネジ８が螺設されていて、該雌ネジ８には他のフィルター枠を重ねて装着する場合やフードやレンズキャップ等（図示せず）のアタッチメントを装着可能な第二の着脱機構９が設けられている。
【００５１】
そして、前記第一の着脱機構６を構成する雄ネジ５のネジ山部分と第二の着脱機構９を構成する雌ネジ８のネジ山部分に低摩擦特性に優れた滑性の良い塗料材、即ち、フッ素樹脂を塗着したものであり、低摩擦特性に優れた滑性の良いフッ素樹脂塗料は、０.０１〜０.１ｍｍ程度の塗膜厚を有して、１８０℃、３０分の焼付塗装とすることより、ネジ部が円滑に回動操作可能となり、所謂、ネジ部の締め過ぎ等でネジ同士が咬んでしまい取外しが困難な状態にならないカメラ用フィルター枠１の着脱機構を提供できる。
【００５２】
また、本考案におけるフィルター枠１の第一の着脱機構６と第二の着脱機構９は、第一の着脱機構６が雄ネジ５による構成、第二の着脱機構９が雌ネジ８による構成となっており、前記夫々のネジ山部分への焼付塗装の塗装範囲は、図２（Ｂ）の第一の着脱機構雄ネジ部に塗布されるフッ素樹脂塗装範囲１４、第二の着脱機構雌ネジ部に塗布されるフッ素樹脂塗装範囲１５になることが最良であり、また、ネジ山部分と逃げ溝部分、そして必要に応じてネジ部のアタリ面までとすることが好ましい。
【００５３】
更に、本考案におけるフィルター枠１の第一の着脱機構６と第二の着脱機構９は、第一の着脱機構６がカメラレンズ鏡筒１０の前面にフィルター枠１を螺着するものであり、また、第二の着脱機構９は、フィルター枠の入射光側１３に設けられて、他の働きをするフィルター枠を重ねて取付けたり、フードやレンズキャップ等のアタッチメントを螺着するものであり、当然のことならら、本考案の実施例においては、前記ネジ部にフッ素樹脂塗装を塗布した第一の着脱機構６と第二の着脱機構９の両方を兼ね備えたフィルター枠１、前記ネジ部にフッ素樹脂塗装を塗布した第一の着脱機構６のみを備えたフィルター枠１、そして、前記ネジ部にフッ素樹脂塗装を塗布した第二の着脱機構９のみを備えたフィルター枠１をも実施例１の形態となる。
【実施例３】
【００５４】
図３（Ａ）（Ｂ）は実施例３を説明する要部拡大断面図であり、図３（Ａ）は実施例３を単体枠のフィルター枠に実施した例を示し、図３（Ｂ）は実施例３をフィルター回転枠に実施した例を示している。
【００５５】
図３（Ａ）（Ｂ）において、１はフィルター枠、１６はフィルター回転枠、２はフィルター外枠、３はフィルターレンズ４はフィルターの外枠外形部、５は雄ネジ６は雄ネジからなる第一の着脱機構、７はフィルター枠先端部内径部、８は雌ネジ、９は雌ネジからなる第二の着脱機構、１２はカメラレンズ側、１３は入射光側、１７はＯリング、１８はフッ素樹脂成型材である。
【００５６】
而して、実施例３の構成は、フィルターを挟持したフィルター枠１または１６のレンズ側に位置する外枠外径部４には雄ネジ５が螺設されており、該雄ネジ５はカメラレンズ鏡筒の先端部内径側に螺設された雌ネジ１１に螺合してフィルター枠１または１６をカメラレンズ鏡筒先端部に装着可能な第一の着脱機構６を有しており、また、前記フィルター枠の入射光側１３に位置する先端部の内径部７には雌ネジ８が螺設されており、該雌ネジ８には他のフィルター枠を重ねて装着する場合やフードやレンズキャップ等のアタッチメントを装着可能な第二の着脱機構９が設けられており、前記第一の着脱機構６を構成する雄ネジ５の完全ネジ部分と第二の着脱機構９を構成する雌ネジ８の完全ネジ部分の何れか一方を低摩擦特性に優れた滑性の良い成形材にて形成している。
【００５７】
また、他の実施例３の構成は、フィルターを挟持したフィルター枠１のレンズ側に位置する外枠外径部４には雄ネジ５が螺設されており、該雄ネジ５はカメラレンズ鏡筒の先端部内径側に螺設された雌ネジに螺合してフィルター枠１または１６をカメラレンズ鏡筒先端部に装着可能な第一の着脱機構６を有しており、また、前記フィルター枠の入射光側１３に位置する先端部の内径部７には雌ネジ８が螺設されており、該雌ネジ８には他のフィルター枠を重ねて装着する場合やフードやレンズキャップ等のアタッチメントを装着可能な第二の着脱機構９が設けられており、前記第一の着脱機構６を構成する雄ネジ５の完全ネジ部分（ネジ全体を示す）と第二の着脱機構９を構成する雌ネジ８の完全ネジ部分を低摩擦特性に優れた滑性の良い成形材にて形成している。
【００５８】
従って、実施例３は、フィルターを挟持した単体枠のフィルター枠１、またはフィルター回転枠１６のレンズ側に位置する外枠外形部４には雄ネジ５が螺設されており、該雄ネジ５はカメラレンズ鏡筒の先端部内径側に螺設された雌ネジに螺合してフィルター枠１、またはフィルター回転枠１６をカメラレンズ鏡筒先端部に装着可能な第一の着脱機構６を有している。
【００５９】
また、前記フィルター枠の入射光側１３に位置する先端部の内径部７には雌ネジ８が螺設されていて、該雌ネジ８には他のフィルター枠を重ねて装着する場合やフードやレンズキャップ等のアタッチメントを装着可能な第二の着脱機構９が設けられている。
【００６０】
そして、前記第一の着脱機構６を構成する雄ネジ５の完全ネジ部分（ネジ部全体を示す）と第二の着脱機構９を構成する雌ネジ８の完全ネジ部分を低摩擦特性に優れた滑性の良い成形材、例えばフッ素樹脂成型材１８にて成形してフィルター枠と一体化したものであり、低摩擦特性に優れた滑性の良いフッ素樹脂成型材１８は、雄ネジ５、または雌ネジ８からなるネジ部が円滑に回動操作可能となり、所謂、ネジ部の締め過ぎ等でネジ同士が咬んでしまい取外しが困難な状態にならないカメラ用フィルター枠の着脱機構を提供するものである。
【符号の説明】
【００６１】
１  フィルター枠
２  フィルター外枠
３  フィルターレンズ
４  フィルターの外枠外径部
５  雄ネジ
６  雄ネジからなる第一の着脱機構
７  フィルター枠先端部内径部
８  雌ネジ
９  雌ネジからなる第二の着脱機構
１０  カメラレンズ鏡筒
１１  フィルター枠の雄ネジが螺着する雌ネジ
１２  カメラレンズ側
１３  入射光側
１４  第一の着脱機構雄ネジ部に塗布されるフッ素樹脂塗装範囲
１５  第二の着脱機構雄ネジ部に塗布されるフッ素樹脂塗装範囲
１６  フィルター回転枠
１７  Ｏリング
１８  フッ素樹脂成型材
【図１】
0003173179.tif 000003
【図２】
0003173179.tif 000004
【図３】
0003173179.tif 000005